(57)【要約】【課題】  きわめて安定した状態で装着することができるばかりか瞬きを押さえることにより装着時に内面が直接、眼球に触れることがないので痛くなる心配がなく、加えて、吸湿、吸水性に優れ、傷に付着することもなく、更に、そのまま圧迫眼帯としても使用することが可能とする。【解決手段】  平板状を呈する眼帯本体２の内面に、眼球６前面の曲率に沿った円形凹部３とその周囲に眼窩６開口縁に沿う外周を有する環状突起４とが一体的に形成されている。【選択図】      図１
2005261633.tif 000002
【特許請求の範囲】
【請求項１】
平板状を呈する眼帯本体の内面に、眼球前面の曲率に沿った円形凹部とその周囲に眼窩開口縁に沿う外周を有する環状突起とが一体的に形成されていることを特徴とする眼帯。
【請求項２】
前記眼帯本体に吸水ポリマーが配合されている請求項１記載の眼帯。
【請求項３】
前記眼帯本体の少なくとも内面が不織布により形成されている請求項１または２記載の眼帯。
【請求項４】
前記眼帯本体の少なくとも内面に光触媒繊維が配合されて防菌、防黴作用を有する請求項１，２または３記載の眼帯。
【請求項５】
前記眼帯本体の外面にテープ状の装着部材が付設されている請求項１，２，３または４記載の眼帯。
【発明の詳細な説明】
【技術分野】
【０００１】
本発明は、眼帯に関するものである。
【背景技術】
【０００２】
従来、眼帯として例えば耳掛け紐が付設した合成樹脂材や金属製の板材からなる保護眼帯の内面にガーゼ布を重ねたもの、或いは病院内では直接ガーゼをテープや絆創膏などにより貼りつけるものが用いられている。
【０００３】
ところが、ガーゼ布を重ねたものは、内面、つまり、眼に当たる部分が平面的である。そのため、テープや絆創膏などにより止めたとしても一部が浮き上がった状態となり、まばたきが止まらないので眼球と触れ合って痛みを感じることになる。
【０００４】
また、眼帯の主要部であるガーゼ布は眼球を保護する必要から柔軟性を付与することが必要で、幾重かに重ねて使用するのが一般的である。その結果、ガーゼ布の部分が厚くなり使用中にテープや絆創膏などが剥がれやすく、特に就寝時に著しい。
【０００５】
更に、眼に直接当たるガーゼ布の部分は肌触りが悪く、加えて、手術などの後に使用されると凝固血液を介して傷にくっつき易く、眼帯を取り替える毎に傷が露出して再出血し、傷が治りにくい、という問題もあり、更に、吸収作用が充分でなく、涙、汗や血液や更には房水が漏れた場合には吸収しきれないという問題があり、更にまた、特殊な手術の後や弱視の強制には圧迫眼帯が用いられるが、その際、別のガーゼ布を巻いて枕木をつくる必要があり、きわめて不便である。
【発明の開示】
【発明が解決しようとする課題】
【０００６】
本発明が解決しようとする課題は、きわめて安定した状態で装着することができるばかりか瞬きを押さえることにより装着時に内面が直接、眼球に触れることがないので痛くなる心配がなく、加えて、吸湿、吸水性に優れ、傷に付着することもなく、更に、そのまま圧迫眼帯としても使用することが可能な眼帯を提供することである。
【課題を解決するための手段】
【０００７】
前記課題を解決するため、本発明である眼帯は、平板状を呈する眼帯本体の内面に、眼球前面の曲率に沿った円形凹部とその周囲に眼窩開口縁に沿う外周を有する環状突起とが一体的に形成されていることを特徴とする。
【０００８】
円形凹部に眼球前面が挿入されるとともに、その周囲に沿って突設されている環状突起が眼窩開口縁に当たってきわめて安定した状態で装着することができる。特に、円形凹部に目蓋を閉じた状態で眼球前面が挿入されるので瞬きをすることがなく、眼球に痛みを感じない。加えて、一体的に形成されているので従来のガーゼのように板状の眼帯で覆った装着も可能であるが、直接絆創膏やテープなどにより装着することもでき、環状突起が従来の枕木の作用を果たすのでそのまま圧迫眼帯としても使用できる。
【０００９】
また、前記眼帯本体に吸水ポリマーが配合されている場合には、傷や手術後の血液や涙などを確実に吸収して湿った状態を解消するとともに緑内症の際などに房水が漏れた場合にも対処することができる。
【００１０】
更に、眼帯本体の少なくとも内面が不織布により形成されている場合にはガーゼの場合と異なり、接触感がきわめてソフトで違和感がなく、傷などがあっても付着する心配がなく、眼帯本体の少なくとも内面に光触媒繊維を配合した場合には防菌、防黴作用を有するので衛生的であり、手術後の使用であっても従来のようにガーゼを殺菌するような作業を要さない。
【発明の効果】
【００１１】
従来のガーゼによる眼帯と異なり、装着安定性に優れ、装着感も良好で、絆創膏やテープなどで止めることが可能であるとともに、手術後の圧迫眼帯など各種の用途にもそのまま使用することができる。眼帯本体の外面にテープ状の装着部材が付設されている場合にはより簡単に装着することができるとともに意匠的にも優れる。
【００１２】
更に、素材を選択することにより、装着感の向上、吸湿、吸水性の向上、衛生面の向上を図ることもできる。
【発明を実施するための最良の形態】
【００１３】
次に、本発明を実施するための最良の形態について図面を参照して詳細に説明する。
【００１４】
図面は本発明の好ましい実施の形態を示すものであり、眼帯１は、平板状を呈する眼帯本体２の内面２１に、円形凹部３とその周囲に環状突起４とが一体的に形成されている。
【００１５】
特に、本実施の形態では、前記円形凹部３は眼球前面の曲率に沿った形状を有し、また、前記環状突起４は外周が眼窩開口縁に沿う形状を呈しているが、使用する性別や年齢層に合わせて幾種類か作成しても良い。
【００１６】
また、平板状を呈する眼帯本体２は特に材質を問うものではないが、例えば熱可塑性の不織布のような適宜の柔軟性と剛性を有するとともに円形凹部３とその周囲に環状突起４とが一体的に形成可能なものが好ましく、例えば、ポリエチレン、ポリプロピレン、ポリウレタン、ポリエステル、ポリアミドなどの熱可塑性合成樹脂シートの表地に、木綿やパルプ、レーヨンのような肌触りの良いセルロース系短繊維からなる不織布を積層してヒートプレスすることにより肌触りが良いとともに充分な圧縮強度を有する所定形状の一体成形品を得ることができる。
【００１７】
更に、眼帯本体２には、例えば、デンプン系、セルロース系、ポリアクリル酸塩系、ポリビニルアルコール系などの吸水ポリマーを配合しておくとよく、更にまた、前記眼帯本体の少なくとも内面に光触媒繊維が配合されているとよい。この光触媒繊維としては、例えば、特開平９−２１６９１１号公報に提示されているように、イオン交換またはイオン配位可能な極性基を有し、かつ架橋構造を有するポリマー粒子中に、銀、銅、亜鉛でなる群から選ばれる金属を微量に含有させる場合等が考えられる。
【００１８】
次に、本実施の形態の使用方法について説明する。
【００１９】
本実施の形態は、図１に示した状態で滅菌状態で製造され、これを滅菌包装することにより（図示せず）、滅菌状態で流通、保管することができるので従来のように使用時にガーゼを裁断して用いる場合のような滅菌作業をする必要がなく、包装を解いてそのまま使用することができるのできわめて便利であるとともに衛生的でもある。
【００２０】
そして、本実施の形態は図２に示すように、眼を閉じた状態で、平板状を呈する眼帯本体２の内面２１の円形凹部３を眼球５に合わせて当て、例えば絆創膏やテープで顔面に貼着、固定させる。
【００２１】
このとき、本実施の形態では、前記円形凹部３は眼球５の前面の曲率に沿った形状を有しているので中心が合わせ易く、また、円形凹部３の周囲に突設されている環状突起４の外周４１が眼窩６開口縁６１に沿う形状を呈しているので、環状突起４が、眼球４の膨らみと眼窩６開口縁６１との間に嵌挿されてきわめて安定した状態で装着されるので睡眠時にずれたりする心配がなく、特に、瞼は閉じた状態で円形凹部３により固定されるので、瞼が開くことがなく、従って、眼球４が眼帯本体２の内面２１に触れて痛くなることもない。
【００２２】
加えて、本実施の形態は、装着面となる眼帯本体２の内面２１が肌触りの良い不織布で形成されているのできわめてソフトな装着感を得ることができるばかりか、ガーゼのように傷部分に強固に被着する心配もなく治りも早く、熱可塑性合成樹脂により適度の合成を有して立体的に形成されているので環状突起４が枕木となり、そのまま圧迫眼帯としても使用することができる。
【００２３】
更に、本実施の形態は、眼帯本体２に吸水ポリマーを含んでいるので、涙や房水を素早く吸収するのは言うまでもなく、装着面に涙や汗、血液、分泌物などが溜まらないので装着感が悪くなることもなく、光触媒繊維の存在により滅菌、殺菌状態を維持するので衛生的で眼帯によって傷が悪化したりすることもない。尚、必要であれば、内面２１にポリオレフィン樹脂からなるネットを配しても良い。
【００２４】
尚、本実施の形態では、絆創膏やテープにより顔面に固定することで装着するようにしたが、従来のガーゼのように紐付きの合成樹脂板や金属板の保護眼帯を用いて装着することもできる。
【００２５】
図４は本発明の異なる実施の形態を示すものであり、眼帯本体２については前記実施の形態と同様であるが、眼帯本体２の外面２２に従来の塩化ビニル、ポリアクリル酸、ポリエステル、ポリウレタン、ポリオレフィン系樹脂により形成されるテープ基材の裏面に剥離部材により覆われたゴム系接着剤、セルロース系接着剤、ポリビニルアルコール系接着剤などからなる接着層を設けたテープ体からなる従来傷用の絆創膏として用いられているのと同様な装着部材７を予め被着させた点が異なる。
【００２６】
本実施の形態は、装着部材７が予め設けられているので剥離材を剥がすだけで装着することが可能であり、テープや絆創膏或いは保護眼帯を必要とせず、装着も簡単である。
【００２７】
尚、装着部材７を形成するテープ基材は非通気性のものが多いので孔を設けておくことにより、通気性を確保して使用時の蒸れを防ぐことができる。
【００２８】
加えて、図５や図６に示すように装着部材７にデザインを付すことにより意匠的にも優れたものとなり、従来の眼帯のイメージを払拭するファッション的なものも提供することができる。
【図面の簡単な説明】
【００２９】
【図１】本発明の好ましい実施の形態の一例を示す斜視図。
【図２】図１に示した実施の形態の縦断面図。
【図３】図１に示した実施の形態の使用状態を示す説明図。
【図４】本発明の異なる実施の形態を示す斜視図。
【図５】本発明の異なる実施の形態における使用状態を示す説明図。
【図６】本発明の異なる実施の形態における使用状態を示す説明図。
【符号の説明】
【００３０】
１  眼帯、２  眼帯本体、３  円形凹部、４  環状突起、５  眼球、６  眼窩、６１  開口縁、７  装着部材、２１  内面、２２  外面
【図１】
2005261633.tif 000003
【図２】
2005261633.tif 000004
【図３】
2005261633.tif 000005
【図４】
2005261633.tif 000006
【図５】
2005261633.tif 000007
【図６】
2005261633.tif 000008